(57)【要約】【課題】振動センサをオン状態としたから時間の経過に伴って発生する時間変動ドリフト成分を補正することができるセンサドリフト補正装置を提供する。【解決手段】発振部２２を含むセンサ本体と、該センサ本体の出力信号を検出する信号検出部７とを有する振動型センサ１と、前記発振部２２の駆動信号が入力され、少なくとも前記振動型センサ１で発生する時間の経過に伴う時間変動ドリフト成分を発生させるドリフト成分発生部３０と、前記時間変動ドリフト成分を前記信号検出部で検出される検出信号から除去するドリフト除去部５０とを備えている。【選択図】図１
2008216050.tif 000002
【特許請求の範囲】
【請求項１】
発振部を含むセンサ本体と、該センサ本体の出力信号を検出する信号検出部とを有する振動型センサと、
前記発振部の駆動信号が入力され、少なくとも前記振動型センサで発生する時間の経過に伴う時間変動ドリフト成分を発生させるドリフト成分発生部と、
前記時間変動ドリフト成分を前記信号検出部で検出される検出信号から除去するドリフト除去部と
を備えたことを特徴とするセンサドリフト補正装置。
【請求項２】
前記時間変動ドリフト成分は、前記駆動信号と、自己相関関数値及びアラン分散の測定によって決定されるパラメータとに基づいて前記振動型センサのセンサ誤差の数値モデルにおけるセンサバイアスを演算するように構成されていることを特徴とする請求項１に記載のセンサドリフト補正装置。
【請求項３】
前記ドリフト成分発生部は、前記検出信号の自己相関関数値を測定して決定された時定数を記憶する時定数記憶部と、
前記時定数と前記駆動信号とに基づいて、指数関数を演算する関数演算部と
で構成されていることを特徴とする請求項１又は２に記載のセンサドリフト補正装置。
【請求項４】
前記ドリフト成分発生部は、前記検出信号の自己相関関数値を測定して決定された時定数を記憶する時定数記憶部と、
アラン分散によって算出されるセンサバイアスの白色ノイズを記憶する白色ノイズ記憶部と、
前記時定数と前記発振部の駆動信号とに基づいて、指数関数を演算する関数演算部と、
前記センサバイアスの白色ノイズと前記時定数とを乗算する乗算部と、
前記アラン分散によって算出されるセンサ白色ノイズを記憶するセンサ白色ノイズ記憶部と、
前記指数関数と前記乗算部の演算結果と前記センサ白色ノイズとを加算する加算部と
で構成されていることを特徴とする請求項１又は２に記載のセンサドリフト補正装置。
【請求項５】
請求項１乃至４のいずれか１項に記載のセンサドリフト補正装置を備えたことを特徴とする電子機器。
【請求項６】
発振部及び前記発振部の出力信号を検出する信号検出部とを有する振動型センサに生じる時間変動ドリフト成分を補正するセンサドリフト補正方法であって、
前記発振部の駆動信号が入力され、少なくとも前記振動型センサで発生する時間の経過に伴う時間変動ドリフト成分を発生させるドリフト成分発生ステップと、
前記時間変動ドリフト成分を前記信号検出部で検出される検出信号から除去するドリフト除去ステップと
を有することを特徴とするセンサドリフト補正方法。
【発明の詳細な説明】
【技術分野】
【０００１】
本発明は、振動ジャイロ素子及び振動子を有する振動型ジャイロセンサ等の発振器を有する振動型センサのセンサドリフトを補正するセンサドリフト補正装置及び補正方法に関する。
【背景技術】
【０００２】
従来の振動ジャイロセンサとしては、例えば本出願人が先に提案した温度補正機能を有するジャイロセンサが知られている（例えば、特許文献１参照）。
このジャイロセンサは、振動ジャイロ素子を駆動させる第１の駆動回路と、振動ジャイロ素子に加わる角速度を検出する検出回路と、振動子を駆動させる第２の駆動回路と、振動ジャイロ素子の駆動信号と振動子の駆動信号を掛け合わせる掛算回路と、掛算回路で合成した信号において駆動信号の差分周波数の信号を出力するローパスフィルタと、差分周波数の信号を電圧に変換するＦ／Ｖ変換回路と、Ｆ／Ｖ変換回路の出力信号に基づいて補正を行い、補正された角速度信号を出力する温度補正回路とを備えている。
【特許文献１】特開２００６−１８９３５３号公報（第１頁、図１）
【発明の開示】
【発明が解決しようとする課題】
【０００３】
しかしながら、上記特許文献１に記載された従来例にあっては、ジャイロセンサの使用環境の温度変化があっても正確な角速度を検出することができるものであるが、ジャイロセンサをオン状態としてから時間の経過に伴って発生する時間変動ドリフト成分を補正することはできないという未解決の課題がある。
そこで、本発明は、上記従来例の未解決の課題に着目してなされたものであり、振動型センサをオン状態としてから時間の経過に伴って発生する時間変動ドリフト成分を補正することができるセンサドリフト補正装置及び補正方法を提供することを目的としている。
【課題を解決するための手段】
【０００４】
上記未解決の課題を解決するために、第１の形態に係るセンサドリフト補正装置は、発振部を含むセンサ本体と、該センサ本体の出力信号を検出する信号検出部とを有する振動型センサと、前記発振部の駆動信号が入力され、少なくとも前記振動型センサで発生する時間の経過に伴う時間変動ドリフト成分を発生させるドリフト成分発生部と、前記時間変動ドリフト成分を前記信号検出部で検出される検出信号から除去するドリフト除去部とを備えたことを特徴としている。
【０００５】
この第１の形態によると、ドリフト成分発生部で、少なくとも信号検出部から出力される検出信号に含まれる時間の経過に伴って発生する時間変動ドリフト成分を発生し、この時間変動ドリフト成分をドリフト除去部で信号検出部から出力される検出信号から除去するので、検出信号に含まれる時間変動ドリフト成分がドリフト成分発生部で発生される時間変動ドリフト成分で相殺されて、時間変動とリフト成分を除去した検出信号を得ることができる。
【０００６】
また、第２の形態に係る角速度検出装置は、上記第１の形態に係るセンサドリフト補正装置おいて、前記時間変動ドリフト成分は、前記駆動信号と、自己相関関数値及びアラン分散の測定によって決定されるパラメータとに基づいて前記振動型センサのセンサ誤差の数値モデルにおけるセンサバイアスを演算するように構成されていることを特徴としている。
【０００７】
この第２の形態によると、ドリフト成分発生部で自己相関関数の測定によって決定される時定数及びアラン分散の測定によって決定されるセンサバイアスの白色ノイズ等のパラメータを有し、振動型センサのセンサ誤差の数値モデルに含まれるセンサバイアスで表される時間変動ドリフト成分を演算するので、信号検出部で発生する時間変動ドリフト成分をより正確に発生させることができる。
【０００８】
さらに、第３の形態に係るセンサドリフト補正装置は、第１又は第２の形態に係るセンサドリフト補正装置において、前記ドリフト成分発生部は、前記検出信号の自己相関関数値を測定して決定された時定数を記憶する時定数記憶部と、前記時定数と前記駆動信号とに基づいて、指数関数を演算する関数演算部とで構成されていることを特徴としている。
この第３の形態によると、検出信号の自己相関関数を測定して決定された時定数とに基づいて関数演算部で時間の経過に伴う時間変動ドリフト成分をより正確に発生させることができる。
【０００９】
さらにまた、第４の形態に係るセンサドリフト補正装置は、前記第１又は第２の形態に係るセンサドリフト補正装置において、前記ドリフト成分発生部は、前記検出信号の自己相関関数値を測定して決定された時定数を記憶する時定数記憶部と、アラン分散によって算出されるセンサバイアスの白色ノイズを記憶する白色ノイズ記憶部と、前記時定数と前記発振部の駆動信号とに基づいて、指数関数を演算する関数演算部と、前記センサバイアスの白色ノイズと前記時定数とを乗算する乗算部と、前記アラン分散によって算出されるセンサ白色ノイズを記憶するセンサ白色ノイズ記憶部と、前記指数関数と前記乗算部の演算結果と前記センサ白色ノイズとを加算する加算部とで構成されていることを特徴としている。
【００１０】
この第４の形態によると、時間間隔が小さいときにアラン分散が白色ノイズ成分を表し、時間間隔が大きくなるにつれて時間変動ドリフト成分となるセンサバイアスが大きくなることを演算して、より正確な検出信号を得ることができる。
なおさらに、第５の形態に係る電子機器は、請求項１乃至４のいずれか１項に記載のセンサドリフト補正装置を備えたことを特徴としている。
【００１１】
この第５の形態によると、電子機器に設けたセンサのドリフトを正確に除去した検出信号を得ることができ、この検出信号を使用した処理を行うことができる。
また、第６の形態に係るセンサドリフト補正方法は、発振部及び前記発振部の出力信号を検出する信号検出部とを有する振動型センサに生じる時間変動ドリフト成分を補正するセンサドリフト補正方法であって、前記発振部の駆動信号が入力され、少なくとも前記振動型センサで発生する時間の経過に伴う時間変動ドリフト成分を発生させるドリフト成分発生ステップと、前記時間変動ドリフト成分を前記信号検出部で検出される検出信号から除去するドリフト除去ステップとを有することを特徴としている。
【００１２】
この第６の形態によると、前述した第１の形態と同様の効果が得られる。
【発明を実施するための最良の形態】
【００１３】
以下、本発明の実施形態を図面に基づいて説明する。
図１は本発明の一実施形態を示すブロック図であり、図中、１はジャイロセンサであって、水晶などの圧電材料からなる振動ジャイロ素子２と、同様に水晶などの圧電材料からなる振動子３とで構成されるセンサ本体を備えている。
振動ジャイロ素子２は、両側に位置する駆動腕４ａ，４ｂと中央に位置する検出腕５とを備えている。駆動腕４ａ，４ｂがＸ方向に屈曲振動されている状態で、Ｙ軸を回転軸とする角速度が生じると、駆動腕４ａ，４ｂにＺ方向のコリオリ力が生じ、これに伴い検出腕５がＸ方向に動き、検出腕５が角速度を検出できるように構成されている。このような形状と機能を有する振動ジャイロ素子２をダブルＴ型ジャイロ素子と呼ぶ。
【００１４】
振動ジャイロ素子２の駆動腕４ａ，４ｂに形成された駆動電極（図示せず）には第１の駆動部としての第１の駆動回路６が接続されている。また、振動ジャイロ素子２の検出腕５に形成された検出電極（図示せず）には角速度を検出する角速度検出部としての角速度検出回路７が接続されている。
この角速度検出回路７は、検出腕５の両端に個別に接続された電流を電圧に変換するＩ／Ｖ変換アンプ８及び９と、これらＩ／Ｖ変換アンプ８及び９から出力される電圧信号を差動増幅する差動アンプ１０と、この差動アンプ１０の増幅出力が入力される同期検波回路１１と、この同期検波回路１１の同期検波出力が入力される感度のゲイン調整を行う調整回路１２と、この調整回路１２の出力が入力されるローパスフィルタ１３とを備えており、ローパスフィルタ１３から角速度検出信号が信号補正回路１５に出力される。ここで、同期検波回路１１は、同期信号として後述する第２の駆動回路２２から出力される駆動信号を変換し、入力された信号の正部分のみ又は負部分のみ、或いは正負の何れかを反転した信号が検波される。また、信号補正回路１５はジャイロセンサ１の温度変化に基づく特性の変化を補正すると共に、出力される角速度検出信号を供給電圧比として電源電圧変動を吸収するレシオメトリック構成とされている。
【００１５】
一方、振動子３の音叉腕２１ａ，２１ｂに形成された駆動電極（図示せず）には第２の駆動部としての第２の駆動回路２２が接続されている。この第２の駆動回路２２は、一方の音叉腕２１ｂに接続された増幅アンプ２３と、この増幅アンプ２３の出力側に接続された起動回路２４から起動信号が入力されるＡＧＣ回路２５と、このＡＧＣ回路２５の出力側に接続され増幅出力が他方の音叉腕２１ａに供給される増幅アンプ２６とで発振回路が構成され、増幅アンプ２３の出力が同期検波回路１１に供給されていると共に、ドリフト成分発生部としてのドリフト成分発生回路３０に供給されている。
【００１６】
このドリフト成分発生回路３０は、図２に示すように、センサバイアスｂiを演算するセンサバイアス発生部３１と、このセンサバイアス発生部３１から出力されるセンサバイアスｂiにセンサ白色ノイズｗiを加算するセンサ白色ノイズ発生部４１とで構成されている。
センサバイアス発生部３１は、第２の駆動回路２２の増幅アンプ２３から出力されるクロック信号が入力されてこれを計数するカウンタ３２と、時定数τcを記憶する時定数記憶部３３と、カウンタ３２のカウント値ｔと時定数記憶部３３に記憶されている時定数τcとが入力されて指数関数ｅｘｐ｛（−１／τ）×ｔ｝を演算する指数関数発生器３４と、センサバイアスの白色ノイズｗibiasを記憶する白色ノイズ記憶部３５と、時定数記憶部３３に記憶されている時定数τcと白色ノイズ記憶部３５に記憶されているセンサバイアスの白色ノイズｗibiasとを乗算する乗算器３６と、指数関数発生器３４から出力される指数関数値と乗算器３６から出力されるτc×ｗibiasとを加算する加算器３７とを備えている。
【００１７】
センサ白色ノイズ発生部４１は、センサ白色ノイズｗiを記憶するセンサ白色ノイズ記憶部４２と、このセンサ白色ノイズ記憶部４２に記憶されているセンサ白色ノイズｗiをセンサバイアス発生部３１から出力されるセンサバイアスｂiに加算する加算器４３とを備えている。
そして、ドリフト成分発生回路３０で発生されたドリフト成分がドリフト除去部としての差動増幅器５０における一方の入力側に供給され、この差動増幅器５０の他方の入力側に角速度検出回路７から出力される角速度検出信号を信号補正回路１５で温度補正及び電圧変動補正した角速度信号が入力され、差動増幅器５０の出力が角速度検出信号として例えばＧＰＳ測位演算及び自律測位演算を行う携帯型ナビゲーション装置１６に出力される。
【００１８】
ここで、ドリフト成分発生回路３０でジャイロセンサ１のドリフト成分を発生することができる原理について以下に説明する。
先ず、ジャイロセンサ１の出力のアラン分散を測定する。このアラン分散は、信号Ω（ｔ）が図３に示すように変化したときに、測定時間に対応する総クロック数をＮとし、平均をとる周期Ｔをクロック間隔ｔ0にＮ／２より小さい値に設定されるｎを乗じた値（Ｔ＝ｎｔ0）に設定したときに、周期Ｔ毎の信号Ω（ｔ）の平均値は、下記（１）及び（２）式のように表せる。
【００１９】
【数１】
2008216050.tif 000003
【００２０】
このアラン分散によると、信号Ω（ｔ）の時間間隔Ｔ当りの平均値のバラツキ及び信号の安定性を見ることが可能となる。
そして、例えばジャイロセンサ１を、温度を一定として入力が零の状態を例えば４時間継続させてアラン分散を測定すると、その測定結果は、図４に示すように、経過時間τと標準偏差σ（ｔ）との関係が、図４に示すように、経過時間τが小さい領域（τ＜１０）では時間の経過と共に白色ノイズを表す直線Ｌ１に沿うように減少し、その後経過時間τが１０程度でマルコフノイズを表す山型の曲線Ｌ２に沿うように変化する。
【００２１】
この測定結果から、温度及び電圧の変動によるジャイロスケールファクタＳＦgiを考慮すると、ジャイロセンサ１のセンサ誤差の数値モデルは、ジャイロセンサ１のセンサ出力をｇiとしたとき、下記（４）〜（６）式で表すことができる。
【００２２】
【数２】
2008216050.tif 000004
【００２３】
ここで、ＳＦgiは時間と電圧の関数であるジャイロスケールファクタ、ｒiは真の角速度、ｂiはセンサバイアス、ｗiはセンサ白色ノイズ、τはバイアスの時定数、ｗibiasはセンサバイアスの白色ノイズである。
ここで、ジャイロセンサ１の出力の時間変動ドリフト成分としては前記（４）式から温度及び電圧の変動に応じたスケールファクタＳＦgiと、センサバイアスｂiと、センサ白色ノイズｗiとで構成されることになるが、スケールファクタＳＦgiについては従来から温度変動に対しては温度補償回路を設け、電源電圧の変動にはレシオメトリックを適用することにより補償されていることから、本実施形態でも信号補正回路１５で同様の補償を行ない、残りのセンサバイアスｂi及びセンサ白色ノイズｗiを時間変動ドリフト成分として補償する。
【００２４】
ここで、センサバイアスｂiは、前述した（６）式から経過時間ｔとバイアスの時定数τcとセンサバイアスの白色ノイズｗibiasとによって算出される。このうち経過時間ｔは、前述した第２の駆動回路２２から出力されるクロック信号をカウンタ３２で計数することにより算出され、時定数τcは、ジャイロセンサ１の入力零の状態での出力を測定し、自己相関関数を計算することにより求め、センサの白色ノイズｗibiasはアラン分散のパワースペクトル値Ｑwibiasに基づいて算出される。
【００２５】
すなわち、時定数τcは、ジャイロセンサ１の入力零の状態での出力を測定し、自己相関関数を計算する。この自己相関関数は、下記（７）及び（８）式で定義され、これらを規格化した（９）式における時間τを“０”とした自己相関計数値×（１／ｅ）を求めすることにより算出する。
【００２６】
【数３】
2008216050.tif 000005
【００２７】
つまり、図５に示すように、横軸に時間τ、縦軸に規格化したジャイロ出力の自己相関関数の値Ｅ〔ｂ（ｔ）ｂ（ｔ＋τ）〕をプロットしたときに、τ＝０での自己相関値を１としたときに、図５で直線Ｌ３で示す（１／ｅ）の値が時定数τcの値（約１０００ｓｅｃ）となり、この時定数τcが時定数記憶部３３に記憶される。
【００２８】
また、センサバイアスの白色ノイズｗibiasについては、バイアス分散σwibiasで表すことができ、このバイアス分散σWibiasはアラン分散を解析して白色ノイズｗibiasのパワースペクトルＱWibiasから下記（１０）式に基づいて算出し、算出したセンサバイアスの白色ノイズｗibiasが白色ノイズ記憶部３５に記憶する。
ＱWibias＝２σWibias2／τc      ……（１０）
そして、指数関数発生器３４でカウンタ３２から入力される時間ｔと時定数記憶部３３から入力される時定数τcとに基づいて前述した（６）式の右辺第１項の指数関数ｅｘｐ｛（−１／τc）ｔ｝を算出し、これにセンサバイアスの白色ノイズ記憶部３５に記憶されたセンサバイアスの白色ノイズｗibiasと時定数τcとを乗算器３６で乗算し、その乗算結果を指数関数発生器３４の出力に加算器３７で加算することにより前記（６）式のセンサバイアスｂiを算出することができる。
【００２９】
一方、センサ白色ノイズｗiについては、前述したアラン分散の測定結果を表す図４の特性曲線から時間τが“１”の時の分散σ（１）がセンサ白色ノイズｗiのσ値（σWi）となり、このセンサ白色ノイズｗiをセンサ白色ノイズ記憶部４２に記憶する。
このため、センサバイアス発生部３１で算出したセンサバイアスｂiに加算器４３でセンサ白色ノイズ記憶部４２に記憶されたセンサ白色ノイズｗiを加算することによりドリフト成分が算出される。
【００３０】
次に、上記実施形態の動作を説明する。
先ず、ジャイロセンサ１の出力を温度一定とし且つ入力零の状態で所定時間（例えば４時間）出力を測定する。そして、測定結果から自己相関関数を計算し、図５に示すように、時間τを横軸に自己相関関数Ｅ〔ｂ（ｔ）ｂ（ｔ＋τ）〕をプロットした特性線図から時間τが“０”での自己相関関数を“１”としたとき１／ｅの値と交差する点の時間τが時定数τc（約１０００ｓｅｃ）選定され、これが時定数記憶部３３に記憶される。
【００３１】
また、前記測定結果からアラン分散解析を行うと共に、センサバイアスの白色ノイズｗibiasのパワースペクトル値ＱWibiasを求め、このパワースペクトル値ＱWibiasと時定数τiとを前記（１０）式に代入してセンサバイアスの白色ノイズに対応する分散σWibiasを算出し、これをセンサバイアスの白色ノイズｗibiasとして白色ノイズ記憶部３５に記憶する。
【００３２】
さらに、アラン分散の測定結果を表す図４の特性曲線から経過時間τが“１”の時の偏差σ（１）がセンサ白色ノイズｗiのσ値（σWi）となり、このセンサ白色ノイズｗiをセンサ白色ノイズ記憶部４２に記憶する。
このように各記憶部３３、３５及び４２に夫々時定数τc、センサバイアスの白色ノイズｗibias及びセンサ白色ノイズｗiを記憶した状態で、ジャイロセンサ１の電源を投入すると、第１の駆動回路６で増幅及び位相調整された駆動信号が振動ジャイロ素子２の駆動腕４ａ，４ｂの駆動電極に供給され、駆動腕４ａ，４ｂがＸ方向に屈曲振動を行う。ここで、振動ジャイロ素子２にＹ軸を回軸とする角速度が加わると、駆動腕４ａ，４ｂにコリオリ力が働く。このコリオリ力に連動して、検出腕５がＸ方向に屈曲する。検出腕５の屈曲状態は中央部を境にして上下の腕が相互に反対方向に働き、検出腕５に形成された上下の検出電極から出力される電流信号に差が生じる。この電流信号はコリオリ力に対応した大きさを持ち、この電流信号がＩ／Ｖ変換アンプ８，９で電圧信号に変換されて差動アンプ１０に入力される。
【００３３】
この差動アンプ１０では、入力された電圧信号を増幅して同期検波回路１１に出力する。同期検波回路１１では、同期信号として第２の駆動回路２２から出力される駆動信号を変化して、入力された信号の正部分のみ又は負部分のみ、或いは正負の何れかを反転した信号が検波される。同期検波回路１１で検波された信号は、調整回路１２で感度調整されてローパスフィルタ１３に供給され、信号に重畳された高周波成分を除去した角速度検出信号が出力され、この角速度検出信号が信号補正回路１５で温度補正及び電源電圧補正されて差動増幅器５０の一方の入力側に供給される。
【００３４】
一方、ジャイロセンサ１の電源投入と同時に第２の駆動回路２２の増幅アンプ２３から出力される駆動信号がクロック信号としてドリフト成分発生回路３０に供給され、センサバイアス発生部３１のカウンタ３２で計数される。
このカウンタ３２の計数値ｔ及び時定数記憶部３３に記憶された時定数τcが指数関数発生器３４に入力され、この指数関数発生器３４で、前記（６）式の右辺第１項の指数関数ｅｘｐ｛（−１／τc）ｔ｝を算出し、これと同時に乗算器３６で時定数記憶部３３に記憶されている時定数τcと白色ノイズ記憶部３５に記憶されているセンサバイアスの白色ノイズｗibiasとを乗算して前記（６）式の右辺第２項を算出し、指数関数発生器３４の出力信号と乗算器３６の出力信号とを加算器３７で加算することにより、前記（６）式のセンサバイアスｂiが算出される。
【００３５】
そして、算出されたセンサバイアスｂiがセンサ白色ノイズ発生部４１に供給されて加算器４３でセンサバイアスｂiにセンサ白色ノイズ記憶部４２に記憶されたセンサ白色ノイズｗiを加算してドリフト成分を算出して差動増幅器５０の他方の入力側に供給する。
このため、角速度検出回路７からは、前述した（４）式で表されるジャイロセンサ出力ｇiが出力される。このうちスケールファクタＳＦgiについては、温度特性に対しては角速度検出回路７から出力される角速度検出信号を信号補正回路１５に供給することにより、ジャイロセンサ１の温度特性の補正を行うと共に、電源電圧の変動に対してはレシオメトリックを適用することによりスケールファクタＳＦgiの変化を抑制する。
【００３６】
残りのセンサバイアスｂi及びセンサ白色ノイズｗiについては、上述したようにドリフト成分発生回路３０でセンサバイアスｂi及びセンサ白色ノイズｗiを加算したドリフト成分が出力されることにより、差動増幅器５０から出力される角速度検出信号は前述した（４）式の右辺第２項及び第３項の時間変動ドリフト成分が除去された真の角速度ｒiでなる正確な角速度検出信号となる。
【００３７】
この差動増幅器５０から出力される角速度検出信号が携帯型ナビゲーション装置１６に供給されて自律航法測位演算を行うことにより、正確な現在位置の測位演算を行うことができる。
なお、上記実施形態においては、センサバイアスの白色ノイズｗibiasをそのパワースペクトル測定値ＱWibiasと時定数τcとに基づいて前記（１０）式に基づいて分散σWibiasを算出する場合について説明したが、これに限定されるものではなく、以下のように分散σWibiasを設定するようにしてもよい。
【００３８】
すなわち、角速度検出回路７から出力される角速度検出信号は、図６に示すように、電源投入時から例えば５時間の長時間の変化を見ると、電源投入時における正の０．０５（ｄｅｇ／ｓｅｃ）付近の値から３時間位迄の間徐々に減少して、３時間以降で平均値で−０．０２（ｄｅｇ／ｓｅｃ）程度で安定する。このときの偏差σωを０．０１（ｄｅｇ／ｓｅｃ）に設定すると、図７に示すように、３時間から５時間までの角速度検出信号を平均値で略“０”とすることができる。しかしながら、電源投入時から３時間に達するまでの間の角速度検出信号の勾配を除くことはできない、このため、ジャイロセンサ１を恒温槽に入れて正確に０℃から６０℃の間で所定間隔で温度を１５分間安定させながら上昇させて、各温度での角速度検出信号を観察しても短時間での温度効果を観察することはできない。
【００３９】
この原因は、ジャイロセンサ１のパッケージがかなり大きく短時間の内部発熱による温度変化が原因となることが考えられ、この温度補償をジャイロセンサ１のパッケージ内に温度測定部を設け、この温度測定部の測定結果で温度補償しなければならない。
このように、パッケージ内の温度測定部の測定結果で温度補償を行うと、センサバイアスの白色ノイズｗibiasに対応する偏差σwibiasを０．０５（ｄｅｇ／ｓｅｃ）程度に設定することにより、電源投入時から３時間に達するまでの角速度検出信号の変化を抑制することができる。したがって、センサバイアスの白色ノイズｗibiasは固定値を採用するようにしてもよい。このため、センサバイアス発生部３１としては、カウンタ３２、時定数記憶部３３、指数関数発生器３４とこの指数関数発生器３４の出力に時定数τc及びセンサバイアスの白色ノイズｗibiasを固定値として加算してセンサバイアスｂiを算出するようにしてもよい。
【００４０】
また、上記実施形態においては、ドリフト調整部として差動増幅器５０を適用した場合について説明したが、これに限定されるものではなく、角速度検出信号から時間変動ドリフト成分を減算する減算器を適用するようにしてもよい。
さらに、上記実施形態においては、ドリフト成分発生回路３０がハードウェア構成である場合について説明したが、これに限定されるものではなく、マイクロコンピュータ等の演算処理装置及び時定数τc、センサバイアスの白色ノイズｗibias、センサ白色ノイズｗiを記憶するＲＯＭ、不揮発性メモリ等のメモリを適用し、ソフトウェア処理によってセンサバイアスｂi及びセンサ白色ノイズｗiを加算した時間変動ドリフト成分を算出し、算出した時間変動とリフト成分を角速度検出信号から減算するようにしてもよい。
【００４１】
さらにまた、上記実施形態においては、ドリフト成分発生回路３０でセンサバイアスｂi及びセンサ白色ノイズｗiを発生させる場合について説明したが、少なくともセンサバイアスｂiのみを発生させるようにしてもよい。
なおさらに、上記実施形態によれば、発振器を有する振動型センサとしてジャイロセンサ１を適用した場合について説明したが、これに限定されるものではなく、加速度センサ、圧力センサ等の発振器を備えた他の振動型センサにも本発明を適用することができる。
【００４２】
また、上記実施形態においては、本発明を携帯型ナビゲーション装置１６に適用した場合について説明したが、これに限定されるものではなく、カーナビゲーション装置、移動体の位置姿勢検出装置等の他の電子機器にも適用することができる。
【図面の簡単な説明】
【００４３】
【図１】本発明の一実施形態を示すブロック図である。
【図２】図１のドリフト成分発生回路の具体的構成を示すブロック図である。
【図３】アラン分散の説明に供する説明図である。
【図４】アラン分散の測定結果を示す特性線図である。
【図５】角速度検出信号の時間と自己相関関数の値との関係を示す特性線図である。
【図６】角速度検出信号の波形図である。
【図７】角速度信号の安定時の波形図である。
【符号の説明】
【００４４】
１…ジャイロセンサ、２…振動ジャイロ素子、３…振動子、４ａ，４ｂ…駆動腕、５…検出腕、６…第１の駆動回路、７…角速度検出回路、８，９…Ｉ／Ｖ変換アンプ、１０…差動アンプ、１１…同期検波回路、１２…調整回路、１３…ローパスフィルタ、１５…信号補正回路、１６…携帯型ナビゲーション装置、２１ａ，２１ｂ…音叉腕、２２…第２の駆動回路、２３…増幅アンプ、２４…起動回路、２５…ＡＧＣ回路、２６…増幅アンプ、３０…ドリフト成分発生回路、３１…センサバイアス発生部、３２…カウンタ、３３…時定数記憶部、３４…指数関数発生器、３５…センサバイアスの白色ノイズ記憶部、３６…乗算器、３７…加算器、４１…センサ白色ノイズ発生部、４２…センサ白色ノイズ記憶部、４３…加算器、５０…差動増幅器
【図１】
2008216050.tif 000006
【図２】
2008216050.tif 000007
【図３】
2008216050.tif 000008
【図４】
2008216050.tif 000009
【図５】
2008216050.tif 000010
【図６】
2008216050.tif 000011
【図７】
2008216050.tif 000012